(57)【要約】【課題】インターネットやイントラネットなどのネットワークに接続された多数の印刷装置の位置情報と機器情報を予め登録しておくことで、印刷しようとする者が、その位置情報から容易に機器情報を特定し、その情報に従って印刷を実行できる印刷システムを提供する。【解決手段】印刷システムは、ネットワーク４を介して接続された、サーバ１と、コンピュータ２と、画像形成装置３と、携帯端末５と、を有している。携帯端末５が有するＧＰＳ５０２などの位置情報取得する手段により現在位置情報を取得し、該位置情報をコンピュータ２に送信する。コンピュータ２は、サーバ１に問合せを行う。サーバ１は該位置情報に基づいて、予め登録された機器情報から機器検索手段により特定の画像形成装置を検索する。コンピュータ２は該画像形成装置の機器情報を利用して、画像形成装置３に所望の印刷を実行させる。【選択図】図１
2010049579.tif 000002
【特許請求の範囲】
【請求項１】
ネットワークを介して接続された、サーバと、コンピュータと、画像形成装置と、携帯端末と、を有する印刷システムであって、
前記サーバは、
前記画像形成装置の機器情報を保存する機器情報保存手段と、
前記機器情報保存手段により保存された機器情報から画像形成装置の機器情報を検索する機器検索手段と、を有し、
前記コンピュータは、
データを保存するデータ保存手段と、
前記データ保存手段により保存されたデータから印刷データを作成する印刷データ作成手段と、を有し、
前記画像形成装置は、
前記印刷データを記録媒体に出力する印刷手段を有し、
前記携帯端末は、
衛星を用いて位置情報を取得する位置情報取得手段を有し、
前記機器検索手段は、前記位置情報取得手段により取得され、前記コンピュータに送信された位置情報に基づいて画像形成装置の機器情報を検索し、
前記印刷データ作成手段は、前記機器検索手段により検索された機器情報に基づいて印刷データを作成し、
前記印刷手段は、前記印刷データ作成手段により作成された印刷データに基づいて出力を行うことを特徴とする印刷システム。
【請求項２】
前記機器情報保存手段は、前記携帯端末から前記サーバに送信された前記位置情報取得手段により取得された位置情報と画像形成装置の機器情報とに基づいて機器情報を保存することを特徴とする請求項１記載の印刷システム。
【請求項３】
前記画像形成装置は、
コードの入力を受け付けるコード入力手段と、
前記コード入力手段により入力されたコードを識別するコード識別手段と、をさらに有し、
前記携帯端末は、ユーザ識別コードを作成するコード作成手段をさらに有し、
前記位置情報取得手段により取得された位置情報と前記コード作成手段により作成されたユーザ識別コードとを前記コンピュータに送信し、
前記印刷手段は、前記コード識別手段により、前記コード入力手段により入力されたコードと前記コード作成手段により作成されたコードとが一致すると判断された場合にのみ、前記印刷データ作成手段により作成された印刷データに基づいて出力を行うことを特徴とする請求項１又は２に記載の印刷システム。
【請求項４】
前記コンピュータは、前記データを暗号化する暗号化手段をさらに有し、
前記画像形成装置は、
前記暗号化されたデータを解読するデコード手段と、
外部記憶メディアを接続する外部記憶メディア接続手段と、
前記外部記憶メディアに記憶された情報を読取る外部記憶メディア読取手段と、をさらに有し、
前記携帯端末は、
公開鍵暗号方式に使用する秘密鍵及び公開鍵を生成する秘密鍵公開鍵生成手段と、
前記外部記憶メディアを接続する外部記憶メディア接続手段と、をさらに有し、
前記ユーザ認識コードは前記公開鍵であり、
前記デコード手段は、前記暗号化手段により暗号化された印刷データを、前記外部記憶メディア接続手段に接続された外部記憶メディアに記憶されている秘密鍵によって解読し、
前記印刷手段は、前記デコード手段により解読された印刷データに基づいて出力を行うことを特徴とする請求項３記載の印刷システム。
【請求項５】
前記画像形成装置は、印刷結果の情報を作成する印刷結果情報作成手段をさらに有し、
前記携帯端末は、前記携帯端末の識別情報を生成する識別情報生成手段をさらに有し、
前記サーバは、前記画像形成装置から送信された前記印刷結果情報作成手段により作成された印刷結果情報と前記携帯端末から送信された前記識別情報生成手段により生成された識別情報とに基づいて、印刷料金を前記携帯端末に課金することを特徴とする請求項１から４の何れか１項に記載の印刷システム。
【請求項６】
前記画像形成装置は、秘密鍵を読取る秘密鍵読取手段をさらに有し、
前記携帯端末は、前記秘密鍵公開鍵生成手段により生成された秘密鍵を表示部に表示し、
前記印刷手段は、前記秘密鍵読取手段により読取られた、前記携帯端末の表示部に表示された秘密鍵によって解読された印刷データに基づいて出力を行うことを特徴とする請求項４記載の印刷システム。
【発明の詳細な説明】
【技術分野】
【０００１】
本発明は、ネットワークを介した印刷システムに関し、特に、例えばＧＰＳ（Global Positioning System）等の衛星を利用して位置情報を取得する手段を利用した印刷システムに関する。
【背景技術】
【０００２】
近年、ネットワーク技術の発達と、モバイル機器の普及によってユビキタス環境が整いつつあり、インターネットへのアクセスは比較的自由に行える環境が実現しつつある。同時に、印刷機器のＬＡＮ接続等も当たり前になっており、ネットワーク経由で印刷が行われることが多くなっている。
【０００３】
しかし、ネットワークに接続された印刷機器から印刷するためには、予め印刷機器の情報、例えばＩＰアドレスなどの設定を行っておく必要がある。そのため、外出先などでは、近くにネットワーク接続された印刷装置が有ったとしても、その印刷装置で印刷するために機器の情報を調べで印刷できるように設定する手間がかかってしまう。また、実際外出先で印刷が必要になるケースとしては、必要な資料を忘れてしまった等で、手元に資料がない場合や、印刷する環境が無い場合等も考えられ、これらの場合は印刷自体が困難であるという問題があった。
【０００４】
上記問題を解決するために、ユーザとローカルプリンタとの連絡部として機能する専用インターネットサイトを用い、インターネットを介して、インターネットアクセス可能なプリンタを使用して印刷を実行する技術が開示されている（例えば、特許文献１）。また、Ｗｅｂページが閲覧可能な携帯情報端末からＷｅｂページにアクセスし、キーワードを入力する等して、ユーザに都合のよい出力先プリンタを選択し、携帯情報端末のメールやＷｅｂページ等を印刷させる技術が開示されている（例えば、特許文献２）。
【特許文献１】特許第３８６４９６０号公報
【特許文献２】特開２００２−２７８７３４号公報
【発明の開示】
【発明が解決しようとする課題】
【０００５】
しかし、上記特許文献１に記載された技術では、印刷を実行させるプリンタの有効な選択方法については触れられていない。また、上記特許文献２に記載された技術では、印刷を実行させるプリンタを決定する操作は煩雑であり、特に携帯情報端末の操作に不慣れなユーザにとっては複雑であるという問題があった。
【０００６】
本発明はこのような実情を鑑みてなされたものであり、インターネットやイントラネットなどのネットワークに接続された多数の印刷装置の位置情報と機器情報を予め登録しておくことで、印刷しようとする者が、その位置情報から容易に機器情報を特定し、その情報に従って印刷を実行できる印刷システムを提供することを目的とする。
【０００７】
また、このようなインターネットに接続された印刷装置で印刷しようとする場合、ネットワーク上に印刷データが流れ、また、間違った印刷装置に出力されたり、第３者に印刷物を見られたりする可能性もあり、よりセキュリティの高い印刷方法が求められる。
【課題を解決するための手段】
【０００８】
本発明の印刷システムは、ネットワークを介して接続された、サーバと、コンピュータと、画像形成装置と、携帯端末と、を有する印刷システムであって、サーバは、画像形成装置の機器情報を保存する機器情報保存手段と、機器情報保存手段により保存された機器情報から画像形成装置の機器情報を検索する機器検索手段と、を有し、コンピュータは、データを保存するデータ保存手段と、データ保存手段により保存されたデータから印刷データを作成する印刷データ作成手段と、を有し、画像形成装置は、印刷データを記録媒体に出力する印刷手段を有し、携帯端末は、衛星を用いて位置情報を取得する位置情報取得手段を有し、機器検索手段は、位置情報取得手段により取得され、コンピュータに送信された位置情報に基づいて画像形成装置の機器情報を検索し、印刷データ作成手段は、機器検索手段により検索された機器情報に基づいて印刷データを作成し、印刷手段は、印刷データ作成手段により作成された印刷データに基づいて出力を行うことを特徴とする。
【０００９】
本発明の印刷システムは、機器情報保存手段は、携帯端末からサーバに送信された位置情報取得手段により取得された位置情報と画像形成装置の機器情報とに基づいて機器情報を保存することを特徴とする。
【００１０】
本発明の印刷システムは、画像形成装置は、コードの入力を受け付けるコード入力手段と、コード入力手段により入力されたコードを識別するコード識別手段と、をさらに有し、携帯端末は、ユーザ識別コードを作成するコード作成手段をさらに有し、位置情報取得手段により取得された位置情報とコード作成手段により作成されたユーザ識別コードとをコンピュータに送信し、印刷手段は、コード識別手段により、コード入力手段により入力されたコードとコード作成手段により作成されたコードとが一致すると判断された場合にのみ、印刷データ作成手段により作成された印刷データに基づいて出力を行うことを特徴とする。
【発明の効果】
【００１１】
本発明によれば、衛星を用いて位置情報を取得し、その位置情報をサーバに送信することにより容易に画像形成装置の情報を取得し、該画像形成装置で印刷を実行することが可能となる。
【発明を実施するための最良の形態】
【００１２】
以下に本発明の実施形態の例について、図面を用いて詳細に説明する。
【００１３】
（実施形態１）
図１は、本実施形態に係る印刷システムの概略構成例を示す図である。図示するように、本実施形態に係る印刷システムは、サーバ、コンピュータ、画像形成装置、携帯端末を有しており、インターネット又はイントラネット４等のネットワークを介して接続されている。本実施形態では、サーバの例として機器情報管理サーバ１、コンピュータの例としてパーソナルコンピュータ（ＰＣ）２、画像形成装置の例としてプリンタ３、携帯端末の例として携帯電話５を例に挙げて説明する。
【００１４】
図２は、本実施形態に係る印刷システムの各装置が有する機能例を示す。図示するように、本実施形態に係る機器情報管理サーバ１は、インターネットやイントラネット等のネットワーク４に接続するための通信部１０１、プリンタ３の機器情報を保存する機器情報保存部１０２、機器情報保存部１０２に保存された機器情報から特定のプリンタ３を検索する機器検索部１０３、を有する。ＰＣ２は、インターネットやイントラネット等のネットワーク４に接続するための通信部２０１、データを保存するデータ保存部２０２、データ保存部２０２に保存されたデータから印刷用データを作成する印刷データ作成部２０３、を有する。
【００１５】
プリンタ３は、インターネットやイントラネット等のネットワーク４に接続するための通信部３０１、印刷データを用紙などの記録媒体に出力する印刷部３０２、を有する。携帯電話５は、インターネットやイントラネット等のネットワーク４に接続するための通信部５０１、衛星を利用して位置情報を取得するためのＧＰＳ５０２、を有する。以下位置情報を取得する機能として、例えばＧＰＳ５０２を例に挙げて説明するが、特にこれに限定されるものではない。
【００１６】
尚、特別図示はしないが、本実施形態に係る印刷システムを構成する各装置は、例えばＣＰＵ、ＲＡＭ、ＲＯＭ等の各装置が動作するための機能はもちろん有している。
【００１７】
次に、ＰＣ２のデータ保存部２０２に保存されているデータをプリンタ３の印刷部３０２で出力する処理の流れを説明する。
【００１８】
まず、印刷を実行したいユーザが、プリンタ３の近くに行き、携帯電話５のＧＰＳ５０２を利用して、現在の位置情報を取得する。そして、取得した位置情報をＰＣ２に送信する（１）。ＰＣ２は、この携帯電話５から受信した情報に基づいて、機器情報管理サーバ１に問合せを行う（２）。機器情報管理サーバ１は、ＰＣ２からの問合せに基づいて、機器情報保存部１０２に予め保存された機器情報の中から、機器検索部１０３により該当するプリンタ３を検索する。そして、該当するプリンタ３の機器情報、例えばＩＰアドレスや機種情報をＰＣ２へ送信する。ＰＣ２は印刷データ作成部２０３により、取得した機器情報に基づいて印刷データを作成し、プリンタ３に送信する（３）。印刷データを受信したプリンタ３は、印刷部３０２により用紙などの記録媒体にユーザが所望する情報を出力する。
【００１９】
尚、携帯電話５のＧＰＳ５０２により取得した位置情報をＰＣ２に送信する手段の例としては、メールや専用のソフトウェアを用いることができるが、これに限定されるものではないことは言うまでもない。
【００２０】
本実施形態により、携帯電話５のＧＰＳ５０２で位置情報を取得し、機器情報管理サーバ１に問い合わせることで容易に機器の情報を取得できる印刷システムを提供することが可能となる。本実施形態では、印刷行為自体は自動であっても、人が介在しても良い。
【００２１】
ネットワーク４はインターネット・イントラネットいずれでも構わない。また、途中にファイアーウォールが存在しても、例えば近年のプリンタであれば、ｆｔｐ（file transfer protocol）やｈｔｔｐ(hypertext transfer protocol)での印刷が可能であり、これらのプロトコルが通過できるように設定すれば良い。
【００２２】
本実施形態が一番効果を発揮するのは、多数の事業所がイントラネットで接続されているようなＷＡＮ環境、又は、コンビニなどに設置してある複写装置などを利用した印刷サービスである。
【００２３】
（実施形態２）
図３は、本実施形態に係る印刷システムの機器情報管理サーバ１に機器情報を登録する処理の流れを示す図である。本実施形態では、携帯電話５を利用した機器情報登録動作について、図３に示す図を用いて説明する。
【００２４】
図中複写装置６は、機器情報管理サーバ１の機器情報保存部１０２に情報が保存されていない画像形成装置である。ユーザは、携帯電話５のＧＰＳ５０２により、複写装置６の近傍で位置情報を取得する。そして、取得した位置情報と複写装置６の機器情報、例えばＩＰアドレスや機種情報を携帯電話５に入力し、送信することによりこの情報を機器情報管理サーバ１の機器情報保存部１０２に保存する。
【００２５】
本実施形態により、携帯電話５のＧＰＳ５０２を使用することにより、容易に印刷装置の機器情報を機器情報管理サーバ１に登録することが可能となる。
【００２６】
尚、本実施形態では携帯電話５を利用して機器情報を容易に機器情報管理サーバ１に登録する例について説明したが、ＰＣ２を利用してプリンタ等の画像形成装置の情報を登録することが可能であることは言うまでもない。
【００２７】
（実施形態３）
図４は、本実施形態に係る印刷システムにより、ユーザ識別コードを用いてＰＣ２に保存された情報を印刷する処理の例を示す。図５は、本実施形態に係る印刷システムの各装置が有する機能例を示す。上述した実施形態１に係る印刷システムと異なる点は、プリンタ３が入力されたコードを識別するコード識別部３０３、オペレーションパネル等のコード入力部３０４を有し、携帯電話５がユーザ識別コードを作成するユーザ識別コード作成部５０３を有している点である。
【００２８】
図４に示すように、携帯電話５は、情報を出力させたいプリンタ３の近傍でＧＰＳ５０２により位置情報を取得し、ユーザ識別用のコードを付加してＰＣ２に送信する（１）。ユーザ識別用コードは、携帯電話５のユーザ識別コード作成部５０３で作成される。
【００２９】
ＰＣ２は、この携帯電話５から受信した情報に基づいて、機器情報管理サーバ１に問合せを行う（２）。機器情報管理サーバ１は、ＰＣ２からの問合せに基づいて、機器情報保存部１０２に予め保存された機器情報の中から、機器検索部１０３により該当するプリンタ３を検索する。そして、該当するプリンタ３の機器情報、例えばＩＰアドレスや機種情報をＰＣ２へ送信する。ＰＣ２は印刷データ作成部２０３により、取得した機器情報に基づいて印刷データを作成し、ユーザ識別コードを付加してプリンタ３に送信する（３）。印刷データを受信したプリンタ３は、オペレーションパネル等からユーザにユーザ識別コードの入力をさせ、入力された識別コードと印刷データに付加された識別コードが一致した場合のみ印刷部３０１により用紙などの記録媒体にユーザが所望する情報を出力する。
【００３０】
本実施形態により、ユーザ識別コードを付加するので、印刷データの誤送信等で情報が漏洩する恐れを防止することが可能となる。そのため、よりセキュリティを向上させることが可能となる。
【００３１】
（実施形態４）
図６は、本実施形態に係る印刷システムにより、公開鍵暗号方式を用いてＰＣ２に保存された情報を印刷する処理の例を示す。図７は、本実施形態に係る印刷システムの各装置が有する機能例を示す。上述した実施形態３に係る印刷システムと異なる点は、ＰＣ２が印刷データを暗号化する暗号化部２０４を有し、プリンタ３が暗号化されたデータをデコードするデコード化部３０５、外部記憶メディアを接続する外部メディアインターフェース（Ｉ/Ｆ）３０６、外部記憶メディアに記憶された情報を読取る外部記憶メディア読取部３０７を有し、携帯電話５が秘密鍵及び公開鍵を生成する秘密鍵公開鍵生成部５０４、外部記憶メディアを接続するための外部記憶メディアＩ/Ｆ５０５を有している点である。
【００３２】
図６に示すように、上述した実施形態１の印刷システムに加え、外部記憶メディア７が示されている。携帯電話５は、情報を出力させたいプリンタ３の近傍でＧＰＳ５０２により位置情報を取得する。さらに、公開鍵暗号方式に使用する秘密鍵と公開鍵とを秘密鍵公開鍵生成部５０４で生成し、公開鍵と位置情報をＰＣ２に送信する（１）。秘密鍵は、携帯電話５の外部記憶メディアＩ/Ｆ５０５に接続された外部記憶メディア７に書き出される。
【００３３】
ＰＣ２は、この携帯電話５から受信した情報に基づいて、機器情報管理サーバ１に問合せを行う（２）。機器情報管理サーバ１は、ＰＣ２からの問合せに基づいて、機器情報保存部１０２に予め保存された機器情報の中から、機器検索部１０３により該当するプリンタ３を検索する。そして、該当するプリンタ３の機器情報、例えばＩＰアドレスや機種情報をＰＣ２へ送信する。ＰＣ２は印刷データ作成部２０３により、取得した機器情報に基づいて印刷データを作成し、暗号化部２０４において印刷データを公開鍵で暗号化してプリンタ３に送信する（３）。暗号化された印刷データを受信したプリンタ３は、外部記憶メディアＩ/Ｆ３０６に接続されている外部記憶メディア７に記憶された秘密鍵を外部メディア読取部３０７により読取り、デコード化部３０５において暗号化された印刷データを秘密鍵により解読する。そして、解読された印刷データを印刷部３０１により用紙などの記録媒体に出力する。
【００３４】
本実施形態により、印刷データを公開暗号鍵方式で暗号化することが可能になり、インターネット経由で印刷データを送っても情報漏洩の可能性が無いセキュアな印刷システムを実現することが可能となる。
【００３５】
尚、本実施形態に係るシステムは、上記実施形態３で述べたユーザ識別コードを利用したシステムと組み合せて適用することが可能であり、よりセキュリティを向上させることが可能となる。
【００３６】
（実施形態５）
図８は、本実施形態に係る印刷システムにより、ＰＣ２に保存された情報を印刷し、印刷内容に応じて携帯電話５に課金する処理の例を示す。図９は、本実施形態に係る印刷システムの各装置が有する機能例を示す。上述した実施形態１に係る印刷システムと異なる点は、プリンタ３が例えば印刷枚数等の印刷結果情報を作成する印刷結果情報作成部３０８を有し、携帯電話５が携帯電話５の識別情報を生成する識別情報生成部５０６を有している点である。
【００３７】
携帯電話５は、情報を出力させたいプリンタ３の近傍でＧＰＳ５０２により位置情報を取得する。さらに、携帯電話５の識別情報を識別情報生成部５０６で生成し、携帯電話識別情報と位置情報をＰＣ２に送信する（１）。
【００３８】
ＰＣ２は、この携帯電話５から受信した情報に基づいて、機器情報管理サーバ１に問合せを行う（２）。機器情報管理サーバ１は、ＰＣ２からの問合せに基づいて、機器情報保存部１０２に予め保存された機器情報の中から、機器検索部１０３により該当するプリンタ３を検索する。そして、該当するプリンタ３の機器情報、例えばＩＰアドレスや機種情報をＰＣ２へ送信する。ＰＣ２は印刷データ作成部２０３により、取得した機器情報に基づいて印刷データを作成し、印刷データと携帯電話識別情報をプリンタ３に送信する（３）。印刷データと携帯電話識別情報を受信したプリンタ３は、印刷データを印刷部３０１により用紙などの記録媒体に出力する。
【００３９】
出力が終了すると、プリンタ３は、印刷結果情報作成部３０８において、例えば印刷枚数、カラー又はモノクロ等の印刷結果情報を作成し、該印刷結果情報と携帯電話５の識別情報とを機器情報管理サーバ１に送信する（４）。印刷結果情報及び携帯電話識別情報を受信した機器情報管理サーバ１は、印刷結果情報に基づいて携帯電話５に課金を行う。
【００４０】
本実施形態により、携帯電話５の識別情報を送信することで、容易に課金可能な印刷システムを実現することが可能となる。
【００４１】
（実施形態６）
図１０は、本実施形態に係る印刷システムにより、ＱＲコードを用いてＰＣ２に保存された情報を印刷する処理の例を示す。図１１は、本実施形態に係る印刷システムの各装置が有する機能例を示す。上述した実施形態４に係る印刷システムと異なる点は、プリンタ３がＱＲコードを読取るＱＲコード読取装置を接続するためのＱＲコード読取装置Ｉ/Ｆ３０９を有し、携帯電話５が秘密鍵をＱＲコードに変換するＱＲコード変換部５０７を有している点である。
【００４２】
図１０に示すように、上述した実施形態１の印刷システムに加え、ＱＲコード読取装置８がプリンタ３に接続されている。携帯電話５は、情報を出力させたいプリンタ３の近傍でＧＰＳ５０２により位置情報を取得する。さらに、公開鍵暗号方式に使用する秘密鍵と公開鍵とを秘密鍵公開鍵生成部５０４で生成し、公開鍵と位置情報をＰＣ２に送信する（１）。秘密鍵は、携帯電話５のＱＲコード変換部５０７によりＱＲコードに変換され、ディスプレイ等の表示部に表示する。
【００４３】
ＰＣ２は、この携帯電話５から受信した情報に基づいて、機器情報管理サーバ１に問合せを行う（２）。機器情報管理サーバ１は、ＰＣ２からの問合せに基づいて、機器情報保存部１０２に予め保存された機器情報の中から、機器検索部１０３により該当するプリンタ３を検索する。そして、該当するプリンタ３の機器情報、例えばＩＰアドレスや機種情報をＰＣ２へ送信する。ＰＣ２は印刷データ作成部２０３により、取得した機器情報に基づいて印刷データを作成し、暗号化部２０４において印刷データを公開鍵で暗号化してプリンタ３に送信する（３）。暗号化された印刷データを受信したプリンタ３は、ＱＲコード読取装置Ｉ/Ｆに接続されているＱＲコード読取装置８により、携帯電話５の表示部に表示されているＱＲコードを読取り、デコード化部３０５において暗号化された印刷データを秘密鍵により解読する。そして、解読された印刷データを印刷部３０１により用紙などの記録媒体に出力する。
【００４４】
本実施形態により、携帯電話のディスプレイ等の表示部に表示されたＱＲコードをＱＲコード読取装置８にかざすだけで秘密鍵の入力が可能になり、きわめて容易にセキュアな印刷システムを実現することが可能となる。尚、上記実施形態４と同様に、上記実施形態３と組み合せて使用することにより、よりセキュリティを向上させることが可能となる。
【００４５】
また、本実施形態では秘密鍵をＱＲコードに変換して携帯電話５の表示部に表示する例を挙げて説明したが、これに限定されるものではない。例えば、秘密鍵をＱＲコードではなく地紋に変換することも可能である。
【００４６】
以上好適な実施の形態に基づき具体的に説明したが、本発明は上述した印刷システムに限定されるものではなく、その要旨を逸脱しない範囲で種々変更可能であるということは言うまでもない。
【図面の簡単な説明】
【００４７】
【図１】本実施形態に係る印刷システムの概略構成例を示す図である。
【図２】本実施形態に係る印刷システムの各装置が有する機能例を示すブロック図である。
【図３】本実施形態に係る印刷システムの機器情報管理サーバに機器情報を登録する処理の流れを示す図である。
【図４】本実施形態に係る印刷システムにより、ユーザ識別コードを用いてＰＣに保存された情報を印刷する処理の例を示す図である。
【図５】本実施形態に係る印刷システムの各装置が有する機能例を示す図である。
【図６】本実施形態に係る印刷システムにより、公開鍵暗号方式を用いてＰＣに保存された情報を印刷する処理の例を示す図である。
【図７】本実施形態に係る印刷システムの各装置が有する機能例を示す図である。
【図８】本実施形態に係る印刷システムにより、ＰＣに保存された情報を印刷し、印刷内容に応じて携帯電話に課金する処理の例を示す図である。
【図９】本実施形態に係る印刷システムの各装置が有する機能例を示す図である。
【図１０】本実施形態に係る印刷システムにより、ＱＲコードを用いてＰＣに保存された情報を印刷する処理の例を示す図である。
【図１１】本実施形態に係る印刷システムの各装置が有する機能例を示す図である。
【符号の説明】
【００４８】
１    機器情報管理サーバ
２    ＰＣ
３    プリンタ
４    インターネット／イントラネット
５    携帯電話
６    複写装置
１０１    通信部
１０２    機器情報保存部
１０３    機器検索部
２０１    通信部
２０２    データ保存部
２０３    印刷データ作成部
２０４    暗号化部
３０１    通信部
３０２    印刷部
３０３    コード識別部
３０４    コード入力手段
３０５    デコード化部
３０６    外部記憶メディアＩ/Ｆ
３０７    外部記憶メディア読取部
３０８    印刷結果情報作成部
３０９    ＱＲコード読取装置Ｉ/Ｆ
５０１    通信部
５０２    ＧＰＳ
５０３    ユーザ識別コード作成部
５０４    秘密鍵、公開鍵生成部
５０５    外部記憶メディアＩ/Ｆ
５０６    識別情報生成部
５０７    ＱＲコード変換部
【図１】
2010049579.tif 000003
【図２】
2010049579.tif 000004
【図３】
2010049579.tif 000005
【図４】
2010049579.tif 000006
【図５】
2010049579.tif 000007
【図６】
2010049579.tif 000008
【図７】
2010049579.tif 000009
【図８】
2010049579.tif 000010
【図９】
2010049579.tif 000011
【図１０】
2010049579.tif 000012
【図１１】
2010049579.tif 000013